(57)【要約】【課題】フィットネスクラブ等の会員がトレーニング継続への意欲を向上でき、かつ運動機器利用時に生ずるエネルギを有効に活用できる運動施設会員向けサービスシステムおよび運動施設会員向けサービス方法を提供すること。【解決手段】会員がエアロバイク10のＩＣカード読取装置12にＩＤ情報を読み取らせてエアロバイク10を利用すると人力発電装置20が電力を出力する。出力電力を蓄電池30が蓄え、出力電力量を電力量計測器40が計測する。計測された電力量の情報は、ＩＤ情報とともにサーバ50に送信される。サーバ50は、受信した電力量の情報を会員のＩＤ情報毎に蓄積してＩＤ情報ごとに付与ポイント数を算出し、この算出されたポイント数も蓄積する。会員用端末60は、会員カードAから会員のＩＤ情報を読み取って、対応するポイント数をサーバ50に照会し、サーバ50が回答したポイント数を表示する。【選択図】図１
2005275919.tif 000002
【特許請求の範囲】
【請求項１】
フィットネスクラブ等の運動施設で運動機器を利用する会員に対して、当該会員の運動結果に応じた特典を与えるための運動施設会員向けサービスシステムであって、
前記会員のＩＤ情報を取得するＩＤ情報取得部を有する運動機器と、
この運動機器で行われた運動の量に応じた電力を出力する人力発電装置と、
この人力発電装置が出力する電力量を計測する電力量計測部と、
前記ＩＤ情報取得部が取得した前記会員のＩＤ情報、および前記電力量計測部が計測した電力量の情報を通信回線を介して受信するサーバとを有し、
このサーバは、受信した電力量の情報を会員のＩＤ情報ごとに蓄積する電力量蓄積部を備えることを特徴とする運動施設会員向けサービスシステム。
【請求項２】
請求項１に記載の運動施設会員向けサービスシステムにおいて、
前記人力発電装置が出力する電力を蓄える蓄電池を備えることを特徴とする運動施設会員向けサービスシステム。
【請求項３】
請求項１または請求項２に記載の運動施設会員向けサービスシステムにおいて、
前記サーバは、前記電力量蓄積部に蓄積されたＩＤ情報ごとの電力量から、会員に付与されるポイント数をＩＤ情報ごとに算出するポイント数算出部と、
この算出されたポイント数をＩＤ情報ごとに蓄積するポイント数蓄積部とを備えることを特徴とする運動施設会員向けサービスシステム。
【請求項４】
請求項３に記載の運動施設会員向けサービスシステムにおいて、
前記サーバに通信回線を介して接続された端末を備え、
この端末は、前記サーバのポイント数蓄積部に蓄積された情報に基づいて、照会されたＩＤ情報に対応するポイント数を表示することを特徴とする運動施設会員向けサービスシステム。
【請求項５】
請求項４に記載の運動施設会員向けサービスシステムにおいて、
前記会員のＩＤ情報は、当該運動施設を利用する際に提示する会員カードである記録媒体に記録され、
前記端末は、この記録媒体に記録されたＩＤ情報を読み取るＩＤ情報読取部と、
この読み取ったＩＤ情報に対応するポイント数を前記サーバに照会する照会部と、
前記サーバのポイント数蓄積部に蓄積された情報に基づいて、前記サーバが回答したポイント数を表示する表示部とを備えることを特徴とする運動施設会員向けサービスシステム。
【請求項６】
フィットネスクラブ等の運動施設で運動機器を利用する会員に対して、当該会員の運動結果に応じた特典を与えるための運動施設会員向けサービス方法であって、
前記運動機器にて、当該運動機器の会員のＩＤ情報を取得するＩＤ情報取得手順と、
前記会員の前記運動機器での運動量に応じた電力を出力する電力出力手順と、
この出力された電力量を計測する電力量計測手順と、
前記取得したＩＤ情報および計測した電力量の情報を、通信回線を介して、サーバに送信する送信手順と、
このサーバにて、前記電力量の情報を会員のＩＤ情報ごとに蓄積する電力量蓄積手順とを備えることを特徴とする運動施設会員向けサービス方法。
【発明の詳細な説明】
【技術分野】
【０００１】
本発明は、運動施設会員向けサービスシステムおよび運動施設会員向けサービス方法に関し、特に、フィットネスクラブ等の運動施設で運動機器を利用する会員に対して、前記運動施設の事業者が当該会員の運動結果に応じた特典を当該会員に与えるための運動施設会員向けサービスシステムおよび運動施設会員向けサービス方法に関する。
【背景技術】
【０００２】
近年、健康の維持・増進やダイエットなどの目的のために、フィットネスクラブ（スポーツクラブ）に通う人が増えている。一般的なフィットネスクラブは、所定の月会費等を支払うことにより、インストラクタ等の指導を受けて、プールやトレーニングジム、スタジオ等の運動施設を利用できる会員制クラブである。
クラブ会員（会員）は、各自の運動メニュや目的に合わせて、これらの施設を適宜選択してトレーニングを行う。ここで、トレーニングのための運動機器や器具としては、エアロバイク（自転車エルゴメータ）や、ランニングマシン（トレッドミル）、ステップマシン、ベンチプレス、ダンベル等が挙げられる（非特許文献１参照）。
【非特許文献１】経済産業省、「平成１４年特定サービス産業実態調査（速報）」、平成１５年８月７日
【発明の開示】
【発明が解決しようとする課題】
【０００３】
しかしながら、クラブ会員は、各種の運動機器を利用して目的達成のためにトレーニングを開始するものの、健康管理の基準が不明確で成果がわかりにくかったり、興味を失う等して、トレーニングの継続的な実施が困難となっていた。
また、クラブ会員が、例えば、運動機器としてエアロバイクを漕いだ場合には、エアロバイクを漕いだ際の車輪の回転によってエネルギが発生するが、この発生したエネルギ自体は、何ら利用されておらず無駄なものとなっていた。
【０００４】
本発明の目的は、フィットネスクラブ等の会員がトレーニング継続への意欲を向上できるとともに、運動機器を利用した際に生ずるエネルギを有効に活用できる運動施設会員向けサービスシステムおよび運動施設会員向けサービス方法を提供することにある。
【課題を解決するための手段】
【０００５】
本発明は、フィットネスクラブ等の運動施設で運動機器を利用する会員に対して、当該会員の運動結果に応じた特典を与えるための運動施設会員向けサービスシステムであって、前記会員のＩＤ情報を取得するＩＤ情報取得部を有する運動機器と、この運動機器で行われた運動の量に応じた電力を出力する人力発電装置と、この人力発電装置が出力する電力量を計測する電力量計測部と、前記ＩＤ情報取得部が取得した前記会員のＩＤ情報、および前記電力量計測部が計測した電力量の情報を通信回線を介して受信するサーバとを有し、このサーバは、受信した電力量の情報を会員のＩＤ情報ごとに蓄積する電力量蓄積部を備えることを特徴とする。
【０００６】
ここで、運動機器としては、エアロバイクや、ステップマシン、ベンチプレス、ダンベル等が挙げられ、会員の人力によりエネルギを生ずる機器であればよい。
また、特典としては、所定のポイントを付与したり、運動施設利用時の費用の割引き、商品の進呈、マッサージ等のサービスの提供等が考えられ、要するに、会員が特典と感じるものであればよい。
【０００７】
本発明では、例えば、以下のようにして、会員に特典が付与される。
すなわち、会員が運動機器のＩＤ情報取得部にＩＤ情報を取得させてから運動機器を利用すると、人力発電装置が電力を出力し、その出力電力量を電力量計測部が計測する。次に、この計測された電力量の情報を、運動機器を利用した会員のＩＤ情報とともに通信回線を介してサーバが受信する。このサーバでは、受信した電力量の情報を会員のＩＤ情報ごとに電力量蓄積部が蓄積する。
【０００８】
従って、本発明によれば、会員の運動量に応じて人力発電装置による電力出力量が変化するため、会員が運動機器を利用すればするほど、会員には多くの特典が付与されることになる。このため、会員が、特典を獲得すべくトレーニングに励むことから、会員のトレーニング継続への意欲を向上できる。
また、例えば、会員がエアロバイクを使用した場合には、エアロバイクを漕いだ際の車輪の回転力を利用して人力発電装置が電力を出力するため、この電力を電気機器に用いることなどにより、運動機器を利用した際に生ずるエネルギを有効に活用できる。
【０００９】
この運動施設会員向けサービスシステムにおいて、前記人力発電装置が出力する電力を蓄える蓄電池を備える構成を採用できる。
このような構成によれば、例えば、蓄電池に接続された運動施設内の機器に対して、商用電力とは別に電力を供給でき、商用電源停止時の非常用電源として利用できる。
【００１０】
以上の運動施設会員向けサービスシステムにおいて、前記サーバは、前記電力量蓄積部に蓄積されたＩＤ情報ごとの電力量から、会員に付与されるポイント数をＩＤ情報ごとに算出するポイント数算出部と、この算出されたポイント数をＩＤ情報ごとに蓄積するポイント数蓄積部とを備える構成を採用できる。
ここで、ポイント数算出部が、電力量蓄積部に蓄積された電力量から会員に付与されるポイント数を算出する方法としては、例えば、電力量の１０％等の所定の関係式を設定し、この関係式に基づいて算出する方法や、蓄積された電力量と付与されるポイント数との関係を参照テーブルとして作成し、この参照テーブルに基づいて算出する方法を採用できる。この場合には、サーバのポイント数算出部が、所定の関係式や参照テーブル等に基づいて、ＩＤ情報ごとに会員に付与されるポイント数を算出し、ポイント数蓄積部が、この算出されたポイント数をＩＤ情報ごとに蓄積する。つまり、会員には、運動機器利用時の出力電力量に応じたポイントが付与され、この付与されたポイント数が会員ごとにサーバで管理される。このため、蓄積された電力量に対して、ポイントを段階的に付与するような場合でも、容易に対応できる。
【００１１】
このような運動施設会員向けサービスシステムにおいて、前記サーバに通信回線を介して接続された端末を備え、この端末は、前記サーバのポイント数蓄積部に蓄積された情報に基づいて、照会されたＩＤ情報に対応するポイント数を表示する構成を採用できる。
このような構成では、例えば、会員が、端末から自己のＩＤ情報を入力して照会し、端末に表示されたポイント数を視認することにより、自己が獲得しているポイント数を簡単に把握できる。このため、トレーニング継続への意欲をさらに向上できる。
【００１２】
ここで、前記会員のＩＤ情報は、当該運動施設を利用する際に提示する会員カードである記録媒体に記録され、前記端末は、この記録媒体に記録されたＩＤ情報を読み取るＩＤ情報読取部と、この読み取ったＩＤ情報に対応するポイント数を前記サーバに照会する照会部と、前記サーバのポイント数蓄積部に蓄積された情報に基づいて、前記サーバが回答したポイント数を表示する表示部とを備える構成を採用できる。
このような構成では、例えば、会員が端末のＩＤ情報読取部に会員カードに記録されたＩＤ情報を読み取らせ、照会部が、このＩＤ情報に対応するポイント数をサーバに照会することにより、端末の表示部が、サーバが回答したポイント数を表示する。このため、会員は、会員カードに記録されたＩＤ情報を端末のＩＤ情報読取部に読み取らせるだけで、簡単に、自己の獲得ポイント数を把握できる。
【００１３】
本発明は、フィットネスクラブ等の運動施設で運動機器を利用する会員に対して、当該会員の運動結果に応じた特典を与えるための運動施設会員向けサービス方法であって、前記運動機器にて、当該運動機器の会員のＩＤ情報を取得するＩＤ情報取得手順と、前記会員の前記運動機器での運動量に応じた電力を出力する電力出力手順と、この出力された電力量を計測する電力量計測手順と、前記取得したＩＤ情報および計測した電力量の情報を、通信回線を介して、サーバに送信する送信手順と、このサーバにて、前記電力量の情報を会員のＩＤ情報ごとに蓄積する電力量蓄積手順とを備えることを特徴とする。
【発明の効果】
【００１４】
本発明の運動施設会員向けサービスシステムおよび運動施設向けサービス方法によれば、フィットネスクラブ等の会員がトレーニング継続への意欲を向上できるとともに、運動機器を利用した際に生ずるエネルギを有効に活用できるという効果がある。
【発明を実施するための最良の形態】
【００１５】
以下、本発明の一実施形態に係る運動施設会員向けサービスシステムを図面に基づいて説明する。図１は、運動施設会員向けサービスシステム１の構成を示す図である。
運動施設会員向けサービスシステム１は、運動施設であるフィットネスクラブで運動機器を利用する会員に対して、フィットネスクラブの事業者が、当該会員の運動結果に基づいてポイントを付与し、この付与されたポイント数に応じた特典を当該会員が享受できるシステムである。
【００１６】
ここで、会員が享受できる特典としては、会員が獲得したポイント数の分だけ、フィットネスクラブの利用料金を割引くというものがある。一般に、フィットネスクラブの利用料金は、月会費制であるため、例えば、月会費の締め日と同じ日に、獲得したポイント数を締めて、次月度の月会費からこの獲得ポイント数分を自動的に割引くこととすることができる。なお、このように自動的に割引く以外にも、会員が自由な時にポイントを使用して割引きできるようにしてもよい。また、会員は、獲得したポイントを利用して、会費を割引くこと以外に、商品の進呈を受けたり、サービスを受けたりする特典をうけるようにしてもよい。いずれの場合にしても、獲得したポイントを使用した後は、獲得しているポイント数から使用したポイント数の分を控除する必要がある。
【００１７】
運動施設会員向けサービスシステム１は、図１に示すように、運動機器としてのエアロバイク１０と、人力発電装置２０と、蓄電池３０と、電力量計測器４０と、この電力量計測器４０に通信回線としてのＬＡＮ（local area network）で接続されたサーバ５０と、このサーバ５０に前記ＬＡＮで接続された端末としての会員用端末６０とを備える。
なお、運動機器としては、前記エアロバイクには限定されず、ステップマシン等の他の機器であってもよい。
【００１８】
フィットネスクラブの会員は、図１に示すように、当該クラブを利用するための会員カードＡを有している。この会員カードＡは、会員が当該クラブを利用する際に提示するカードであり、記録媒体としてのＩＣカード（Integrated Circuit Card）で構成されている。会員カードＡには、会員のＩＤ情報、例えば、会員番号や会員種別、名前や年齢、住所等の個人情報等が記録されている。
【００１９】
エアロバイク１０は、ペダルを漕ぐことにより会員が脚部等のトレーニングを行う自転車様の機器である。エアロバイク１０は、自転車部分であるバイク本体１１と、このバイク本体１１を利用する会員のＩＤ情報を取得するＩＤ情報取得部としてのＩＣカード読取装置１２とを備える。ＩＣカード読取装置１２は、会員によって挿入口（図示略）に挿入された会員カードＡから、この会員カードＡに記録されたＩＤ情報を読み取る装置である。このＩＣカード読取装置１２は、読み取ったＩＤ情報を表示する表示部（図示略）を有し、会員は、この表示部の表示によりＩＤ情報が正しいか否かを確認できる。
【００２０】
人力発電装置２０は、会員がエアロバイク１０を利用した際に、バイク本体１１の車輪の回転力を用いて電力を出力する装置である。
蓄電池３０は、人力発電装置２０が出力した電力を蓄え、この蓄えられた電力を当該フィットネスクラブ内の他の電気機器３１、例えば、照明機器や身体計測機器等に供給する。また、蓄電池３０は、商用電源が停止した場合の非常用電源としても利用される。
電力量計測器４０は、人力発電装置２０が出力する電力の量を計測する計測器本体４１と、この計測された電力量の情報を、ＩＣカード読取装置１２が読み取ったＩＤ情報とともに、前記ＬＡＮを介して、サーバ５０に送信する送信部４２とを備える。なお、計測器本体４１は、人力発電装置２０による発電が終了したか否か、すなわち、会員によるトレーニングが終了したか否かを判別できるように構成されている。
【００２１】
サーバ５０は、会員のＩＤ情報ごとにポイント数を管理し、会員用端末６０からの照会に応じて、獲得したポイント数を回答するコンピュータである。サーバ５０は、通信部５１と、記憶部５２と、処理部５３とを備える。
通信部５１は、送信部４２から送信されたＩＤ情報および電力量の情報を受信する機能を有する。また、通信部５１は、会員用端末６０からの照会を受け付ける機能と、後述するポイント数取得部５３２が取得したポイント数を会員用端末６０に回答する機能とを有する。
【００２２】
記憶部５２は、通信部５１が受信した電力量の情報を会員のＩＤ情報ごとに蓄積する電力量蓄積部５２１と、後述するポイント数算出部５３１が算出したポイント数をＩＤ情報ごとに蓄積するポイント数蓄積部５２２とを備える。
処理部５３は、ポイント数算出部５３１と、ポイント数取得部５３２とを備える。
ポイント数算出部５３１は、電力量蓄積部５２１に蓄積されたＩＤ情報ごとの電力量から、会員に付与されるポイント数をＩＤ情報ごとに算出する。ここでは、ポイント数算出部５３１は、電力量蓄積部５２１に蓄積された電力量の例えば１０％をポイントして算出する。より具体的には、電力量蓄積部５２１とポイント数蓄積部５２２とは、図２に例示するテーブルとして記憶部５２に記憶されている。
ポイント数取得部５３２は、記憶部５２内を検索して、通信部５１から照会されたＩＤ情報に対応するポイント数を取得する。
【００２３】
なお、本実施形態では、ポイント数算出部５３１が電力量蓄積部５２１に蓄積された電力量の例えば１０％をポイントして算出する構成としたが、この算出割合は特に限定されない。また、例えば、電力量蓄積部５２１に蓄積された電力量および会員に付与されるポイント数の関係を参照テーブルとし、この参照テーブルを記憶部５２に記憶させて、ポイント数算出部５３１が、この参照テーブルに基づいて、電力量蓄積部５２１に蓄積されたＩＤ情報ごとの電力量から会員に付与されるポイント数をＩＤ情報ごとに算出することとしてもよい。この場合には、蓄積された電力量に対して段階的にポイント付与する場合等にも容易に対応できる。
【００２４】
会員用端末６０は、会員カードＡに記録されたＩＤ情報を読み取るＩＤ情報読取部である前記ＩＣカード読取装置１２と略同様のＩＣカード読取装置６１と、読み取ったＩＤ情報に対応するポイント数をサーバ５０に照会する照会部６２と、サーバ５０の通信部５１から回答されたポイント数を表示する表示部６３とを備える。
この会員用端末６０は、フィットネスクラブ内のどこに設置してもよく、運動スペースに加えて、フィットネスクラブ入口や更衣室、休憩スペース等にも設置されている。
【００２５】
次に、図３を用いて、会員が、獲得したポイントに応じた特典を享受する手順を説明する。図３は、運動施設会員向けサービスシステム１において、会員にポイントが付与され、この会員がポイント数に応じた特典を享受する手順を示すフローチャートである。
図１，図３に示すように、まず、会員は、会員カードＡをエアロバイク１０のＩＣカード読取装置１２に挿入し、ＩＣカード読取装置１２が会員のＩＤ情報を読み取る（処理Ｓ１：ＩＤ情報取得手順）。その後、会員は、ＩＣカード読取装置１２の表示部を見て、自己のＩＤ情報が読み取られたことを確認する（処理Ｓ２）。
【００２６】
次に、会員がエアロバイク１０を利用してバイク本体１１の車輪を回転させると、人力発電装置２０は、バイク本体１１の車輪の回転力を利用して電力を出力し（処理Ｓ３：電力出力手順）、蓄電池３０は、人力発電装置２０が出力した電力を蓄える（処理Ｓ４）。この際、電力量計測器４０では、人力発電装置２０が出力した電力量を計測器本体４１が計測するとともに（処理Ｓ５：電力量計測手順）、会員によるトレーニングが終了した否かを判別する（処理Ｓ６）。トレーニングが終了したと判別された場合には、計測された電力量の情報と読み取ったＩＤ情報とを送信部４２がサーバ５０の通信部５１に送信する（処理Ｓ７：送信手順）。一方、トレーニングが終了していないと判別された場合には、処理Ｓ３に戻る。
【００２７】
次に、サーバ５０では、送信部４２から送信されたＩＤ情報および電力量の情報を通信部５１が受信する（処理Ｓ８）。次に、通信部５１が受信した電力量の情報を会員のＩＤ情報ごとに電力量蓄積部５２１が蓄積し（処理Ｓ９：電力量蓄積手順）、ポイント数算出部５３１が、会員に付与されるポイント数をＩＤ情報ごとに算出する（処理Ｓ１０）。そして、この算出されたポイント数をＩＤ情報ごとにポイント数蓄積部５２２が蓄積する（処理Ｓ１１）。以上のようにして、サーバ５０は、会員のＩＤ情報ごとにポイントを管理している。
【００２８】
次に、会員は、会員用端末６０に会員カードＡを挿入し、会員用端末６０では、ＩＣカード読取装置６１が会員カードＡに記録されたＩＤ情報を読み取り（処理Ｓ１２）、照会部６２が、読み取ったＩＤ情報に対応するポイント数をサーバ５０の通信部５１に照会する（処理Ｓ１３）。
照会されたサーバ５０では、通信部５１が会員用端末６０からの照会を受け付け、ポイント数取得部５３２が、記憶部５２内を検索して通信部５１から照会されたＩＤ情報に対応するポイント数を取得する（処理Ｓ１４）。この取得したポイント数を通信部５１が会員用端末６０に回答する（処理Ｓ１５）。
回答を受けた会員用端末６０では、表示部６３が、サーバ５０の通信部５１から回答されたポイント数を表示し（処理Ｓ１６）、会員は、自己の獲得ポイント数を視認できる。
【００２９】
この獲得ポイント数を視認した会員は、フィットネスクラブの事業者に申請すること等により、獲得したポイント数分だけ次月度の月会費が割り引かれるという特典を享受できることになる（処理Ｓ１７）。
以上のような手順で、会員にポイントが付与され、会員は、自己の獲得ポイント数に応じた特典を享受できる。
【００３０】
本実施形態においては、次のような効果がある。
(１)会員のトレーニング量に応じて人力発電装置２０による電力出力量が変化するため、会員がエアロバイク１０を利用すればするほど、会員には多くのポイントが付与されることになる。このため、会員が、ポイントを獲得すべくトレーニングに励むことから、会員のトレーニング継続への意欲を向上できる。
【００３１】
(２)会員が、会員用端末６０のＩＣカード読取装置６１に会員カードＡを挿入するだけで、ＩＣカード読取装置６１が会員カードＡに記録されたＩＤ情報を読み取り、会員用端末６０の表示部６３には、照会したＩＤ情報に対応するポイント数が表示される。このため、会員は、自己の獲得ポイント数を簡単に把握でき、ひいては、トレーニング継続への意欲向上につながる。
【００３２】
(３)エアロバイク１０を漕いだ際の車輪の回転力を利用して人力発電装置２０が電力を出力し、この電力を他の機器で使用したり、蓄電池３０に蓄える構成としたので、エアロバイク１０を利用した際に生ずるエネルギを有効に活用できる。
【００３３】
(４)蓄電池３０を備えることにより、蓄電池３０に接続された他の機器に対して、商用電力とは別の系統で電力を供給できるため、商用電源停止時の非常用電源として利用できる。
【００３４】
(５)エアロバイク１０にＩＣカード読取装置１２を備えたので、ＩＤ情報を自ら入力する場合に比べて、会員は、ＩＣカード読取装置１２に会員カードＡを挿入するだけで、簡単に自己のＩＤ情報を読み取らせることができる。
【００３５】
(６)ＩＣカード読取装置１２にＩＤ情報を表示する表示部を設けたので、会員は、ＩＤ情報が自己のものか否かを簡単に確認でき、誤って他人にポイントが付与されることを防止できる。
【００３６】
(７)会員用端末６０をフィットネスクラブ入口や更衣室等にも設置したので、会員は、例えば、トレーニング終了後に、手軽に、獲得したポイント数を確認できる。
【００３７】
(８)会員カードＡをＩＣカードで構成したので、この会員カードＡは、従来の磁気カード等に比べて、認証機能を持ち、かつ偽造等の不正に強いことからセキュリティ性に優れ、メモリ容量等が大きいことから拡張性にも優れている。機能拡張の例としては、例えば、この会員カードＡに、電子マネーを記録する場合が考えられ、この場合には、更衣後に現金を携帯する必要がないため、フィットネスクラブ内での商品購入や飲食等の決済を容易にできる利点がある。
【００３８】
なお、本発明は、前記実施形態に限定されず、本発明の目的を達成できる他の構成等を含み、以下に示すような変形等も本発明に含まれる。
例えば、本実施形態では、電力量蓄積部５２１に蓄積された電力量に基づいて、会員にポイントを付与する構成としたが、会員にはポイントを付与せずに、電力量蓄積部５２１に蓄積された電力量に基づいて、会員に特典を付与する構成としてもよい。この場合には、会員用端末６０は、照会されたＩＤ情報に対応する電力量を表示する構成とすればよい。
【００３９】
前記実施形態において、会員用端末６０を備えて運動施設会員向けサービスシステム１を構成したが、会員用端末６０を設けずに、例えば、フィットネスクラブ等の事業者が、獲得したポイント数を定期的に各会員ごとに通知してもよく、この場合には、郵便や電子メール等を利用できる。
前記実施形態において、会員カードＡをＩＣカードで構成したが、これに限らず、一般的な磁気カードとしてもよいし、また、メモリースティックやＳＤカード、コンパクトフラッシュ等の各種記録媒体を備えて構成してもよい。
【図面の簡単な説明】
【００４０】
【図１】本発明の一実施形態に係る運動施設会員向けサービスシステムの構成を示す図である。
【図２】前記運動施設会員向けサービスシステムを構成する記憶部において、ＩＤ情報毎に記憶された情報を示す図である。
【図３】前記運動施設会員向けサービスシステムにおいて、会員にポイントが付与され、この会員がポイント数に応じた特典を享受する手順を示すフローチャートである。
【符号の説明】
【００４１】
１      運動施設会員向けサービスシステム
１０      運動機器であるエアロバイク
１２      ＩＤ情報取得部であるＩＣカード読取装置
２０      人力発電装置
３０      蓄電池
４０      電力量計測部である電力量計測器
５０      サーバ
６０      端末である会員用端末
６１      ＩＤ情報読取部であるＩＣカード読取装置
６２      照会部
６３      表示部
５２１      電力量蓄積部
５２２      ポイント数蓄積部
５３１      ポイント数算出部
５３２      ポイント数取得部
Ａ      会員カード
【図１】
2005275919.tif 000003
【図２】
2005275919.tif 000004
【図３】
2005275919.tif 000005